(57)【要約】【課題】長期間に亘る耐久性を有する解除可能な閉止を信頼性高く得ることができる閉止部材又は閉止装置の提供。【解決手段】本発明は、結合、特に流体結合を形成するための閉止装置のための第一の閉止部材に関し、当該第一の閉止部材は、第一のアダプタ（１）と、当該第一のアダプタに対して可動な又は摺動可能な嵌合部材（２）と、前記第一のアダプタを前記嵌合部材に対して結合し又はそれらの間に配設される弾性部材（５）とを含んでいる。【選択図】  図１
2008194450.tif 000002
【特許請求の範囲】
【請求項１】
結合、特に、流体結合を形成するように設計された閉止装置のための第一の閉止部材であり、第一のアダプタ（１）と、当該第一のアダプタ（１）に対して可動の又は摺動可能な嵌合部材（２）と、前記第一アダプタ（１）を前記嵌合部材（２）と結合させるか又はこれら２つの部材間に設けられている弾性部材（５）と、を含む第一の閉止部材。
【請求項２】
請求項１に記載の閉止部材であり、
前記嵌合部材（２）が雌型ルアー嵌合部材である第一の閉止部材。
【請求項３】
請求項１又は２に記載の第一の閉止部材であり、
前記嵌合部材（２）が円錐状にテーパーが付けられた設計である第一の閉止部材。
【請求項４】
請求項１乃至３のうちのいずれか一項に記載の第一の閉止部材であり、
前記嵌合部材（２）が、注入セット、カテーテル、カニューレ又はホース（３）のための嵌合部材を備えている第一の閉止部材。
【請求項５】
請求項１乃至４のうちのいずれか一項に記載の第一の閉止部材であり、
前記嵌合部材（２）が、当該嵌合部材が落下するのを防止するための係止手段又は円錐形に広がっているか若しくは突出している領域を備えている第一の閉止部材。
【請求項６】
請求項１乃至５のうちのいずれか一項に記載の第一の閉止部材であり、
前記第一のアダプタ（１）が少なくとも１つの保持部材又は留め用突起（１ａ）を備えている第一の閉止部材。
【請求項７】
請求項１乃至６のうちのいずれか一項に記載の第一の閉止部材であり、
前記弾性部材（５）がばね又はエラストマである第一の閉止部材。
【請求項８】
第一の閉止部材の嵌合部材（２）が嵌合する取り付け部材（７）と、前記第一の閉止部材の第一のアダプタ（１）と確実に結合することができる第二のアダプタ（６）と、を備えた第二の閉止部材。
【請求項９】
請求項８に記載の第二の閉止部材であり、
前記第二のアダプタ（６）が保持部材又は留め用溝（６ａ，６ｂ）を備えている第二の閉止部材。
【請求項１０】
請求項８又は９に記載の第二の閉止部材であり、
前記保持部材（６ａ，６ｂ）が、前記第一のアダプタ（１）が軸線方向及び次いで円周方向に前記第二のアダプタ（６）内又は上をガイドされるようになされている第二の閉止部材。
【請求項１１】
請求項８乃至１０のうちのいずれか一項に記載の第二の閉止部材であり、
前記第二のアダプタ（６）の円周方向に延びているガイド（６ａ）の領域内に留め部材又は留め用溝（６ｂ）を備えている第二の閉止部材。
【請求項１２】
請求項１乃至７のうちのいずれか一項に記載の第一の閉止部材と、請求項８乃至１１のうちのいずれか一項に記載の第二の閉止部材とを備えた閉止装置。
【発明の詳細な説明】
【技術分野】
【０００１】
本発明は、ポンプ又はアンプルを例えばカテーテル又は輸液セットに結合するために、結合特に流体結合を形成するための閉止部材の部品及び閉止部材に関する。
【背景技術】
【０００２】
ポンプ又はアンプルとカテーテル又は輸液セットとの間に結合を形成するための手段として公知のルアー型結合を使用することは一般的な方法であり、このようなルアー型結合を使用して、第一のコネクタ部品と第二のコネクタ部品との間、すなわち所謂、雄型ルアー嵌合部材と雌型ルアー嵌合部材との間にスナップオン結合が形成される。
【０００３】
この場合には、ユーザーによって適用される個々の力によって、雌型ルアー嵌合部材が、当該雌型ルアー嵌合部材と協働する雄型ルアー嵌合部材に嵌合される。この結合は、適用される力が低すぎると不適切にシールされた結合を生じ得る。しかしながら、ユーザーが雌型ルアー嵌合部材を雄型ルアー嵌合部材上にきつく押し付け過ぎると、結合を緩めるのが難しいかも知れない。強すぎる力で形成された結合はまたルアー嵌合部材を滑らせ、このこともまた同様に不適切にシールされた領域をもたらし得る。
【０００４】
結合を達成するためのもう一つ別の選択肢は、ルアー型係止として知られているものを使用することであり、これは更に確実な結合を形成する。ルアー型係止結合の場合には、公知のルアー型結合に加えて、雄型結合部材に特別な内ねじが設けられ、当該内ねじ内に雌型結合部材の外ねじを配置することができる。
【０００５】
ルアー型係止結合は、一般的には、短時間に亘ってのみ結合を形成するように設計されている。しかしながら、ポンプの場合には、一週間までの期間に亘って嵌合されたままである必要があり、この全期間に亘って信頼の高いシールされた結合を保証しなければならない。
【０００６】
ルアー型嵌合部材は、ISO 594/1又はDIN EN 20 594-1によって知られ、例えば、ルアー型結合部材の寸法及び設計に関するISO 594/1又はDIN EN 20 594-1による教示は本願に含まれている。
【特許文献１】無し
【非特許文献１】無し
【発明の開示】
【発明が解決しようとする課題】
【０００７】
本発明の一つの目的は、長期間に亘って耐久性のある解除可能な閉止を信頼性高く得ることができる閉止部材又は閉止装置を提供することである。
【課題を解決するための手段】
【０００８】
この目的は、特許請求の範囲の請求項１に規定されている閉止部材に基づいて達成される。有利な実施形態は各従属項に規定されている。
【０００９】
結合、特にもう一つ別の第二の閉止部材との流体結合を形成することを意図している閉止のための第一の閉止部材は、第一のアダプタ又は保持部材又は担持部材を備えており、この第一のアダプタ又は保持部材又は担持部材上又は内には、変形可能で移動可能な又は摺動可能な嵌合部材、言い換えると、例えば雌型ルアー嵌合部材、が取り付けられている。本発明によって提案されているように、第一のアダプタと嵌合部材との間には、力、特にアダプタと嵌合部材との間に作用するばね部材又は代替的には弾性部材結合若しくはエラストマを使用して達成することができるばね力が作用する。これは、嵌合部材又は雌型ルアー嵌合部材が、第一のアダプタから押し出されること又は例えば雄型ルアー嵌合部材のような取り付け部材の方向へアダプタ内へと押込まれて、嵌合部材と取り付け部材との間又は雌型ルアー嵌合部材と雄型ルアー嵌合部材との間に規定された嵌合力を発生させ、その結果、例えば、ユーザーによる閉止部材特に第一のアダプタを嵌合させる力に関係なく、例えば前記ばね部材によって予め決定された所定の力を確保し、それによって信頼性の高い解除可能なルアー結合を形成することができる。
【００１０】
第一のアダプタ上には、例えば１、２又は２以上の留め具用突起のような少なくとも１つの保持部材が設けられており、当該保持部材は、例えば前記第一のアダプタから径方向内方又は外方へ向けて突出していても良い。例えば、第二のアダプタのような適当な協働部材を備えた例えばバヨネット結合のような保持部材又は留め具用突起によって確実な結合を形成することができ、その結果、例えば、雌型ルアー嵌合部材を担持している第一のアダプタは、ポンプのアダプタとして設計しても良い第二のアダプタにしっかりと結合することができ、ひとたびアンプルがポンプ内に挿入されると、例えばアンプル又はポンプに嵌合させることができる。
【００１１】
従って、雌型ルアー嵌合部材及び／又は代替的には雄型ルアー結合部材は、注入セットに取り付けることができるバヨネット式のルアー型係止アダプタ内のばね部材又はエラストマによって嵌合方向へ付勢することができる。バヨネット式のルアー型係止アダプタがポンプアダプタに嵌合され且つ例えば９０°回転のような回転によるバヨネット結合によって留められたときに、２つのアダプタ、従って、例えば当該アダプタに結合された構成部品、すなわち一端がポンプ又はアンプルに結合され且つ他端が注入セットに結合された構成部品は、相互にしっかりと結合される。バヨネット式のルアー型係止アダプタは、雌型ルアー嵌合部材に作用するばね力に抗して嵌合され、雌型ルアー嵌合部材は、雄型ルアー嵌合部材によって上方へ押し上げられ、従って、ばね部材又はエラストマによって調整することができる一定の又は規定された力によって雄型部材に押し付けられる。バヨネット式ルアー型係止アダプタはまた、ばねの力によって上方へ押され、従って、規定された位置をもとる。
【００１２】
上記の実施形態と別の方法として又は当該実施形態に加えて、弾性又はばね部材はまた、第二のアダプタ上に、言い換えると、例えばアダプタと取り付け部材との間に設けられるだけでも良い（この場合には、取り付け部材は、第二のアダプタに対して移動可能であるか又は摺動可能であるのが好ましい）。
【００１３】
雄型ルアー嵌合部材と同様に、雌型ルアー結合部材は、若干円錐形にテーパーが付けられた形状を有しているのが好ましく、その場合には、雄型ルアー嵌合部材は円錐又は円錐台の形態で設けられており、相補型の部材として機能する雌型ルアー嵌合部材は、挿入方向にテーパーが付けられている円錐形凹部を有している。円錐形の部品のピッチは６％であるのが好ましく、雌型ルアー結合部材と雄型ルアー結合部材とに関して、例えばISO 594-1のような上記の標準が参考とされるべきである。
【００１４】
６％−ルアー嵌合部材、すなわち、雄型ルアー嵌合部材の外面のピッチが６％であるルアー型結合が使用される場合には、軸線方向約２ｍｍの雌型ルアー嵌合部材のクリアランスが、ルアー結合のあらゆる製造誤差を補償するのに十分であるかも知れない。
【００１５】
嵌合部材は、第一のアダプタ内に取り付けられるか又は第一のアダプタに結合されて、第一のアダプタから落下しないようにするか又は例えばばね力によって押し出すことができるようにすることができる。嵌合部材又は雌型ルアー嵌合部材は、ストッパ部材、突出部又は径方向外方を向いている翼部によって固定することができ、これらの部材は、例えば第一のアダプタから落下する前に第一のアダプタの溝内で案内される。嵌合部材の外面上に環状部材を設けても良い。嵌合部材が例えば第一のアダプタ内に挿入されつつあるときに、これらの突出部又は例示的に述べた嵌合部材のストッパは、例えば径方向内方を向いた方向に付勢された第一のアダプタの弾性の又はスナップ式作動アームを通り過ぎるように移動しても良く、次いで、嵌合部材又は雌型ルアー嵌合部材を固定し且つそれらが第一のアダプタから落下しないようにするために、ひとたび保持部材又は第一のアダプタの部材がそれらを通り過ぎると元の位置にスナップ式に戻る。更に又は代替的に、嵌合部材又は雌型ルアー嵌合部材は、第一のアダプタから落下する前に、頂部が広がっているか又は円錐形のテーパー部によって固定しても良い。この目的のために、第一のアダプタはまた、嵌合部材が例えばアダプタから押し出されるか引き出される最大の許容可能な位置にあるときに、前記嵌合部材が拡張して当接状態に位置する円錐状にテーパーが付けられた凹部又はストッパ部材を有していても良い。雌型ルアー嵌合部材はまた、例えば、バヨネット式ルアー係止アダプタ内の溝又は当該雌型ルアー嵌合部材の頂部の拡張によって、落下するのを防止することができる。雌型ルアー嵌合部材は、バヨネット式のルアー型係止アダプタの漏斗状の頂部の穴内に挿入することができる。同様にまた、落下を防止するために、取り付け部材を第二のアダプタ内に固定配置状態で取り付けても良い。
【００１６】
上記した第一の閉止部材と協働することができる嵌合装置又は結合装置の第二の閉止部材は、上記した嵌合部材、言い換えると雌型ルアー嵌合部材が嵌合することができる雄型ルアー嵌合部材のような取り付け部材をも備えている。上記の第一のアダプタが嵌合される第二のアダプタもまた設けられる。この場合には、第二のアダプタは、例えば、第一のアダプタの協働保持部材又は留め具用突起が係合できる留め用溝のような１以上の保持部材を備えているのが好ましい。第二のアダプタの保持部材は、例えばひとたび第二のアダプタに嵌合されると、留め具結合が形成される前に第一のアダプタが９０°だけ回転されて第一のアダプタと第二のアダプタとの間にバヨネット式の閉止をもたらすことができるように設計されている。
【００１７】
バヨネット式ルアー係止アダプタを第一のアダプタから解放するためには、例えば、バヨネット式ルアー係止アダプタを第一のアダプタに向かう方向へ押して、ばね部材の力に抗して第二のアダプタすなわちポンプアダプタの留め用溝内に掛け留めされているバヨネット式の閉止を解放することができる。バヨネット式のルアー型係止アダプタは、次いで、例えば９０°だけ回し戻してポンプアダプタから取り外すことができる。
【００１８】
一般的に言うと、本発明は、上記した第一の閉止部材のみならず標準的なルアー型アンプル又は標準的なルアー型嵌合部材との結合を形成するために使用することができる。
【発明を実施するための最良の形態】
【００１９】
以下、実施形態の例を参考にして本発明を説明する。
【００２０】
図１は、バヨネット式のルアー型係止アダプタ形態の第一のアダプタ１とのバヨネット式ルアー型係止結合を示している断面図である。第一のアダプタ１の軸線方向に摺動できるように、図１の中心線を中心として事実上回転対称である第一のアダプタ１内には、嵌合部材として機能する雌型ルアー嵌合部材２が設けられている。カテーテル又はホース３は、雌型ルアー嵌合部材２に取り付けられるのが好ましく、雌型ルアー嵌合部材２に固定結合され、この雌型ルアー嵌合部材２を介して、アンプルから分配されるべき物質が注入セット（図示せず）へ移される。
【００２１】
弾性部材として機能するばね５が、第一のアダプタ１と雌型ルアー嵌合部材２との間に設けられており、この弾性部材は、雌型ルアー嵌合部材２を第一のアダプタ１から図１に示す向きにおいて下方へ押す。
【００２２】
第一のアダプタ１は、例えばアンプル４に取り付けられ且つポンプ１０上にねじ止めされている第二のアダプタすなわちポンプアダプタ６上に嵌合されている。図２に示されているように、ポンプアダプタ６は、当該ポンプアダプタの軸線方向に延びているガイド溝６ａを有しており、第一のアダプタ１がポンプアダプタ６上に嵌合されつつあるときに、径方向内方に向かっている第一のアダプタ１の留め用突起１ａをガイド溝６ａ内でガイドすることができる。第一のアダプタ１がポンプアダプタ６に対して十分深く押し込まれて留め用突起１ａがガイド溝６ａ内全体を通って軸線方向へ通過せしめられると、第一のアダプタは、回転方向に延びているガイド溝６ａによってガイドされてポンプアダプタ６に対して回転させることができ、その結果、ガイド溝６ａ内をガイドされた第一のアダプタ１の留め用突起１ａは、ポンプアダプタ６の周方向に深くまで押されてポンプアダプタ６の留め用溝６ｂ内に係合する。留め用溝６ｂは、円周方向の回転運動をガイドする手段として提供されており、例えば、第一のアダプタ１に向かって軸線方向に向いているガイド溝６ａに設けられた切り込み部であり、第一のアダプタがポンプアダプタ６に嵌合された状態にあるときには、第一のアダプタ１は、ばね５によってポンプアダプタ６から離れる方向すなわち図１に示されている向きにおいて上方へ押されて、留め用溝６ｂと留め用突起１ａとの間に留め結合が形成され、従って、バヨネット式閉止が第一のアダプタ１とポンプアダプタ６との間に形成することができる。アンプル４は、その下端がポンプ１０内に固定保持され且つその頂部がアダプタ６によって固定され、このようにして、軸線方向に摺動するのが阻止されている。
【００２３】
第一のアダプタ１がポンプアダプタ６に嵌合されて、留め用突起１ａが留め用溝６ｂ内に掛け留めされると、ばね５を介して第一のアダプタ１と結合されている雌型ルアー嵌合部材２が、ばね５の力によって規定された押圧力によってアンプル４の雄型ルアー嵌合部材７上に位置せしめられる。
【００２４】
従って、本発明の目的のために、雄型ルアー嵌合部材７に対する雌型ルアー嵌合部材２の押圧力は、第一のアダプタ１をポンプアダプタ６に対して単に配置するユーザーの押圧力によって影響を受けず、従って、小さすぎるか又は大きすぎる圧力によって嵌合せしめられるルアー結合に伴う上記の問題を避けることができる。
【００２５】
図１に示されているように、ポンプアダプタ６は、アンプル４が取り付けられているポンプ１０内にねじ込まれている。ポンプアダプタ６は、アンプル嵌合部の内ねじ１０ａ内に配置されている外ねじ６ｃを備えている。
【００２６】
図１からわかるように、雌型ルアー嵌合部材２は、雌型ルアー嵌合部材２が第一のアダプタから落下するのを防止するための係止部材を形成している径方向外方へ延びている２つの突出部又は翼部又は円周に沿って延びているリング２ａを備えている。雌型ルアー嵌合部材２が第一のアダプタ１内に挿入されると、突出部又はリング２ａは押されてスナップ作動アーム１ｂを通り過ぎる。スナップ作動アーム１ｂは、径方向内方へ付勢されており且つ丸く形成された領域又は面取り部を有している。雌型ルアー嵌合部材２が第一のアダプタ１内に挿入されると、突出部２ａの前方の丸い領域又は面取り部がスナップ作動アーム１ｂに対して当接する状態へと動き、その結果、スナップ作動アーム１ｂが径方向外方へ押される。雌型型ルアー嵌合部材２が第一のアダプタ１内へと十分深く押し込まれて、保持部材２ａがスナップ作動アーム１ｂを通り過ぎるまで動かされると、径方向内方へ付勢されているスナップ作動アーム１ｂは、図１に示されている初期位置へと再び戻り、従って、雌型ルアー嵌合部材２は、保持部材２ａの保持作用により、第一のアダプタ１から落下するのが防止される。
【００２７】
ポンプアダプタ６は、ポンプ１０に向けられた底面に径方向内方へ付勢されたスナップ作動アーム６ｄを有しており、当該スナップ作動アーム６ｄは、雄型ルアー嵌合部材７の突出部７ａの後方に位置せしめられ、その結果、アンプル４は、係止されて、ポンプアダプタ６がポンプ１０内にねじ込まれたときに、この状態で落下するのが防止される。
【図面の簡単な説明】
【００２８】
【図１】図１は、バヨネット式ルアー型係止アダプタの第一の実施形態の詳細断面図である。
【図２】図２は、ポンプに嵌合できるように設計されたバヨネット式のルアー型係止アダプタの斜視図である。
【符号の説明】
【００２９】
１      第一のアダプタ
１ａ    留め用突起
１ｂ    スナップ作動アーム
２      雌型ルアー嵌合部材
２ａ    リング
３      カテーテル又はホース
４      アンプル
５      ばね
６      第二のアダプタすなわちポンプアダプタ
６ａ    ガイド溝
６ｂ    留め用溝
６ｃ    外ねじ
７      雄型ルアー嵌合部材
７ａ    突出部
１０    ポンプ
１０ａ  アンプル嵌合部の内ねじ
【図１】
2008194450.tif 000003
【図２】
2008194450.tif 000004